【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
所定方向からの音声を収音可能な収音部と、第１の記憶部を有する別体の録音機器を、撮影機器の撮影方向、または撮影方向とは異なる方向に向けて接続可能な接続部と、
被写体像を撮像し画像データに変換する撮像部と、
上記画像データを記憶可能な第２の記憶部と、
上記録音機器との接続機器との接続状態を検出するための信号を通信し、上記録音機器に設けられた上記第１の記憶部へ上記画像データを送信する通信部と、
撮影方向の音声を収音可能であり、収音した音声から音声データを生成する撮影機器音声収録部と、
上記撮影機器音声収録部による収音を制御する収音制御部と、
を有することを特徴とする撮影機器。
【請求項２】
上記撮影機器音声収録部は、内蔵マイクを有し、
上記収音制御部は、上記撮影機器の撮影方向に対する上記録音機器の収音方向に基づいて、上記内蔵マイクによる収音を制御し、且つ、上記内蔵マイクが収音した音声に基づいて、音声データを生成し、
上記通信部は、上記音声データを上記録音機器に送信し、
上記別体の録音機器に設けられた第１の記憶部は、上記通信部を介して送信された上記音声データを、マルチチャンネル録音する際に１つのチャンネルの音声データとして記憶する、
ことを特徴とする請求項１に記載の撮影機器。
【請求項３】
上記収音制御部は、上記録音機器が上記撮影機器の前方を向いている場合には、上記内蔵マイクに代えて、上記録音機器に内蔵の外部マイクによる収音を制御することを特徴とする請求項２に記載の撮影機器。
【請求項４】
上記収音制御部は、上記録音機器が上記撮影機器の後方を向いている場合には、上記内蔵マイクおよび上記録音機器に内蔵の外部マイクの両方により収音を制御することを特徴とする請求項２に記載の撮影機器。
【請求項５】
上記撮影機器は、さらに、第２の外部マイクを有する交換レンズを接続可能であり、
上記収音制御部は、上記交換レンズが接続された際には、上記内蔵マイクに代えて、上記交換レンズに内蔵の第２の外部マイクによる収音を制御することを特徴とする請求項２に記載の撮影機器。
【請求項６】
上記撮影機器は、さらに、第２の外部マイクを有する交換レンズを接続可能であり、
上記収音制御部は、上記交換レンズが接続され、かつ上記録音機器が上記撮影機器の前方を向いている場合には、上記内蔵マイクおよび上記録音機器に内蔵の外部マイクの両方により収音を制御することを特徴とする請求項２に記載の撮影機器。
【請求項７】
上記撮影機器は、さらに、第２の外部マイクを有する交換レンズを接続可能であり、
上記収音制御部は、上記交換レンズが接続され、上記録音機器が上記撮影機器の後方を向いている場合には、上記内蔵マイクおよび上記録音機器に内蔵の外部マイクの両方により収音を制御することを特徴とする請求項２に記載の撮影機器。
【請求項８】
上記録音機器はさらに録音機器側撮影部を有し、
上記録音機器が上記撮影機器の後方を向いている場合には、上記撮像部による撮像に加えて、上記録音機器側撮影部による撮影を行うことを特徴とする請求項２に記載の撮影機器。
【請求項９】
上記収音制御部は、上記撮像部による上記画像データと、上記内蔵マイクによって収音された音声データを、上記録音機器の記録部に記録することを特徴とする請求項２に記載の撮影機器。
【請求項１０】
外部マイクを有し、音声を収音して音声データを出力する外部機器音声収録部を備えた録音機器と、
上記請求項１に記載の撮影機器と、
からなる撮影機器システムにおいて、上記録音機器の装着状態に応じて、上記外部機器音声収録部および上記撮影機器に設けられた上記撮影機器音声収録部による収音を制御する収音制御部と、
を有することを特徴とする撮影機器システム。
【請求項１１】
上記収音制御部は、上記外部機器の上記外部マイクの収音方向に応じて、上記外部マイクおよび上記内蔵マイクによる収音を制御することを特徴とする請求項１０に記載の撮影機器システム。
【請求項１２】
上記録音機器は、さらに外部撮影部を有し、
上記録音機器の装着状態に応じて、上記撮像部および上記外部撮影部による撮影を制御する撮影制御部を有することを特徴とする請求項１０に記載の撮影機器システム。
【手続補正２】
【補正対象書類名】明細書
【補正対象項目名】０００７
【補正方法】変更
【補正の内容】
【０００７】
上記目的を達成するため第１の発明に係わる撮影機器は、所定方向からの音声を収音可能な収音部と、第１の記憶部を有する別体の録音機器を、撮影機器の撮影方向、または撮影方向とは異なる方向に向けて接続可能な接続部と、被写体像を撮像し画像データに変換する撮像部と、上記画像データを記憶可能な第２の記憶部と、上記録音機器との接続機器との接続状態を検出するための信号を通信し、上記録音機器に設けられた上記第１の記憶部へ上記画像データを送信する通信部と、撮影方向の音声を収音可能であり、収音した音声から音声データを生成する撮影機器音声収録部と、上記撮影機器音声収録部による収音を制御する収音制御部と、を有する。
第２の発明に係わる撮影機器は、上記撮影機器音声収録部は、内蔵マイクを有し、上記収音制御部は、上記撮影機器の撮影方向に対する上記録音機器の収音方向に基づいて、上記内蔵マイクによる収音を制御し、且つ、上記内蔵マイクが収音した音声に基づいて、音声データを生成し、上記通信部は、上記音声データを上記録音機器に送信し、上記別体の録音機器に設けられた第１の記憶部は、上記通信部を介して送信された上記音声データを、マルチチャンネル録音する際に１つのチャンネルの音声データとして記憶する。
【手続補正３】
【補正対象書類名】明細書
【補正対象項目名】０００８
【補正方法】変更
【補正の内容】
【０００８】
第３の発明に係わる撮影機器は、上記第２の発明において、上記収音制御部は、上記録音機器が上記撮影機器の前方を向いている場合には、上記内蔵マイクに代えて、上記録音機器に内蔵の外部マイクによる収音を制御する。
第４の発明に係わる撮影機器は、上記第２の発明において、上記収音制御部は、上記録音機器が上記撮影機器の後方を向いている場合には、上記内蔵マイクおよび上記録音機器に内蔵の外部マイクの両方により収音を制御する。
【手続補正４】
【補正対象書類名】明細書
【補正対象項目名】０００９
【補正方法】変更
【補正の内容】
【０００９】
第５の発明に係わる撮影機器は、上記第２の発明において、上記撮影機器は、さらに、第２の外部マイクを有する交換レンズを接続可能であり、上記収音制御部は、上記交換レンズが接続された際には、上記内蔵マイクに代えて、上記交換レンズに内蔵の第２の外部マイクによる収音を制御する。
【手続補正５】
【補正対象書類名】明細書
【補正対象項目名】００１０
【補正方法】変更
【補正の内容】
【００１０】
第６の発明に係わる撮影機器は、上記第２の発明において、上記撮影機器は、さらに、第２の外部マイクを有する交換レンズを接続可能であり、上記収音制御部は、上記交換レンズが接続され、かつ上記録音機器が上記撮影機器の前方を向いている場合には、上記内蔵マイクおよび上記録音機器に内蔵の外部マイクの両方により収音を制御する。
【手続補正６】
【補正対象書類名】明細書
【補正対象項目名】００１１
【補正方法】変更
【補正の内容】
【００１１】
第７の発明に係わる撮影機器は、上記第２の発明において、上記撮影機器は、さらに、第２の外部マイクを有する交換レンズを接続可能であり、上記収音制御部は、上記交換レンズが接続され、上記録音機器が上記撮影機器の後方を向いている場合には、上記内蔵マイクおよび上記録音機器に内蔵の外部マイクの両方により収音を制御する。
【手続補正７】
【補正対象書類名】明細書
【補正対象項目名】００１２
【補正方法】変更
【補正の内容】
【００１２】
第８の発明に係わる撮影機器は、上記第２の発明において、上記録音機器はさらに録音機器側撮影部を有し、上記録音機器が上記撮影機器の後方を向いている場合には、上記撮像部による撮像に加えて、上記録音機器側撮影部による撮影を行う。
第９の発明に係わる撮影機器は、上記第２の発明において、上記収音制御部は、上記撮像部による上記画像データと、上記内蔵マイクによって収音された音声データを、上記録音機器の記録部に記録する。
【手続補正８】
【補正対象書類名】明細書
【補正対象項目名】００１３
【補正方法】変更
【補正の内容】
【００１３】
第１０の発明に係わる撮影機器システムは、外部マイクを有し、音声を収音して音声データを出力する外部機器音声収録部を備えた録音機器と、上記第１の発明に記載の撮影機器と、からなる撮影機器システムにおいて、上記録音機器の装着状態に応じて、上記外部機器音声収録部および上記撮影機器に設けられた上記撮影機器音声収録部による収音を制御する収音制御部と、を有する。
【手続補正９】
【補正対象書類名】明細書
【補正対象項目名】００１４
【補正方法】変更
【補正の内容】
【００１４】
第１１の発明に係わる撮影機器システムは、上記第１０の発明において、上記収音制御部は、上記録音機器の上記外部マイクの収音方向に応じて、上記外部マイクおよび上記内蔵マイクによる収音を制御する。
第１２の発明に係わる撮影機器システムは、上記第９の発明において、上記録音機器は、さらに外部撮影部を有し、上記録音機器の装着状態に応じて、上記撮像部および上記外部撮影部による撮影を制御する撮影制御部を有する。
【手続補正１０】
【補正対象書類名】明細書
【補正対象項目名】００５６
【補正方法】変更
【補正の内容】
【００５６】
ステップＳ４における判定の結果、ステレオマイク２７ｂが前側、すなわち被写体側に有る場合には、次に、撮影・収音記録２のサブルーチンを実行する（Ｓ７）。この場合には、ＩＣレコーダ２０は前側、すなわち被写体側を向いており、撮影者は被写体を撮影し、このときの音声を録音することに集中している。そこで、画像は高品位の画像データを取得できるカメラ１０の撮像部２からの画像データを記録し、音声は高品位の音声データを取得できるＩＣレコーダ２０の音声収録部２７からの音声データを記録する。この撮影・収音記録２の詳しいフローについては、図１０を用いて後述する。
【手続補正１１】
【補正対象書類名】明細書
【補正対象項目名】００５７
【補正方法】変更
【補正の内容】
【００５７】
ステップＳ４における判定の結果、ステレオマイク２７ｂが後側、すなわち撮影者側に有る場合には、次に、撮影・収音記録３のサブルーチンを実行する（Ｓ６）。この場合には、ＩＣレコーダ２０は後側、すなわち撮影者側を向いており、撮影者は被写体とともに撮影者も記録することを意図している。そこで、音声はカメラ１０の音声収録部７とＩＣレコーダ２０の音声収録部２７の両方によって音声データを得るようにする。また、画像は、撮影者が意図すれば、撮影者の画像データも取得し、図４（ｂ）に示すような合成画像を生成できるようにする。この撮影・収音記録３の詳しいフローについては、図１１を用いて後述する。